(57)【要約】【課題】運搬する場所によらず、容易に運搬が可能な空気調和機の室外機、及びこれを備えた空気調和機を提供する。【解決手段】室内機１０１からの冷媒が流通する熱交換器３と、熱交換器３に近接して設けられ、熱交換器３と熱交換した後の空気を排気するファン２と、熱交換器３及びファン２を収容する筐体５と、筐体５の幅方向Ｘの一方側の端部、及び、幅方向Ｘの他方側の端部のそれぞれに、筐体５の奥行方向Ｙに離れて対をなして設けられた複数の取手６と、を備え、幅方向Ｘの一方側の端部及び幅方向Ｘの他方側の端部の少なくとも一方では、奥行方向Ｙに対をなして設けられた取手６は、高さ方向Ｚに離れた位置に複数対設けられている。【選択図】図１
2019143952.tif 000002
【特許請求の範囲】
【請求項１】
室内機からの冷媒が流通する熱交換器と、
前記熱交換器に近接して設けられ、該熱交換器と熱交換した後の空気を排気するファンと、
前記熱交換器及び前記ファンを収容する筐体と、
前記筐体の幅方向の一方側の端部、及び、該幅方向の他方側の端部のそれぞれに、前記幅方向に交差する前記筐体の奥行方向に離れて対をなして設けられた複数の取手と、
を備え、
前記幅方向の一方側の端部及び前記幅方向の他方側の端部の少なくとも一方では、前記奥行方向に対をなして設けられた前記取手は、前記幅方向及び前記奥行方向に交差する高さ方向に離れた位置に複数対設けられている空気調和機の室外機。
【請求項２】
前記取手のうち前記幅方向の一方側の端部に設けられた第一取手は、前記高さ方向に離れた位置に複数対設けられ、
前記取手のうち前記幅方向の他方側の端部に設けられた第二取手は、前記高さ方向の最も上部に設けられた前記第一取手と、前記高さ方向の最も下部に設けられた前記第二取手との間の高さの位置に一対のみが設けられている請求項１に記載の空気調和機の室外機。
【請求項３】
前記ファンよりも、前記幅方向の他方側で前記筐体に収容されたコントロールボックスをさらに備え、
前記第二取手は、前記コントロールボックスの位置に対応する前記幅方向の位置に設けられている請求項２に記載の空気調和機の室外機。
【請求項４】
前記取手のうち前記幅方向の一方側の端部に設けられた第一取手、及び前記取手のうち前記幅方向の他方側の端部に設けられた第二取手は、前記高さ方向に離れた位置に複数対設けられている請求項１に記載の空気調和機の室外機。
【請求項５】
前記高さ方向に離れた位置に複数対設けられた前記取手同士の前記高さ方向の間隔の寸法は、前記ファンの最大直径の２分の１以上である請求項１から４のいずれか一項に記載の空気調和機の室外機。
【請求項６】
前記高さ方向に離れた位置に複数対設けられた前記取手は、前記ファンの回転中心を通り前記幅方向に延びる仮想線を挟むように、該仮想線の上方と下方とに設けられている請求項１から５のいずれか一項に記載の空気調和機の室外機。
【請求項７】
請求項１から６のいずれか一項に記載の室外機と、
前記室外機との間で冷媒が循環する室内機と、
を備える空気調和機。
【発明の詳細な説明】
【技術分野】
【０００１】
本発明は、空気調和機の室外機、及びこれを備える空気調和機に関する。
【背景技術】
【０００２】
空気調和機は、空調風を室内に供給する室内機と、室内機に接続された室外機とを備えている。室内機及び室外機は、冷媒が蒸発と凝縮を繰り返して循環する冷凍サイクルを構成している。室外機の筐体には、冷媒が外気との間で熱交換するための熱交換器と、熱交換後の外気を排気するファンと、熱交換器で熱交換した後の冷媒を圧縮する圧縮機とが主に収容されている。
【０００３】
このように室外機には様々な機器が設けられているため重量が大きく、運搬に手間を要する。そこで特許文献１に記載の室外機では設置床面から６００ｍｍ以上７００ｍｍ以下の高さに運搬用の取手の手掛部を設けたことで、室外機の運搬の容易化を図っている。
【先行技術文献】
【特許文献】
【０００４】
【特許文献１】特開２００４−８５１５５号公報
【発明の概要】
【発明が解決しようとする課題】
【０００５】
しかしながら、特許文献１のようにすべての取手をほぼ同じ高さに設けた場合には、例えば二人の作業者が階段を使用して室外機を運搬する際には、一方の作業者の負担が大きくなる。なぜなら、室外機の床面をほぼ水平状態に保ったまま室外機を運搬しようとすると、階段の上側の作業者が腰を屈めた状態で運搬するか、若しくは、階段の下側の作業者が手を高く持ち上げた状態で運搬するか、のいずれかの運搬方法を採用する必要が生じる。上述したように室外機は重く、作業者が無理な姿勢で室外機を運搬しなければならず、運搬性がよくないといった問題があった。階段を使用して室外機を運搬する場合だけでなく、急なスロープ上で室外機を運搬する場合にも同様の問題が生じる可能性がある。
【０００６】
そこで本発明では、運搬する場所によらず、容易に運搬が可能な空気調和機の室外機、及びこれを備えた空気調和機を提供する。
【課題を解決するための手段】
【０００７】
本発明は、上記課題を解決するため、以下の手段を採用する。
本発明の一態様に係る室外機は、室内機からの冷媒が流通する熱交換器と、前記熱交換器に近接して設けられ、該熱交換器と熱交換した後の空気を排気するファンと、前記熱交換器及び前記ファンを収容する筐体と、前記筐体の幅方向の一方側の端部、及び、該幅方向の他方側の端部のそれぞれに、前記幅方向に交差する前記筐体の奥行方向に離れて対をなして設けられた複数の取手と、を備え、前記幅方向の一方側の端部及び前記幅方向の他方側の端部の少なくとも一方では、前記奥行方向に対をなして設けられた前記取手は、前記幅方向及び前記奥行方向に交差する高さ方向に離れた位置に複数対設けられている。
【０００８】
このような室外機によれば、筐体の幅方向の一方側及び幅方向の他方側のうちの少なくともいずれか一方には、奥行方向に対をなして設けられた取手が高さ方向に離れて複数対設けられている。このため、例えば階段を使用して室外機を運搬（搬入、搬出）する場合には、階段の上段側の作業者が上部に設けられた取手を把持することができる。または、階段の下段側の作業者が下部に設けられた取手を把持することができる。これにより、室外機の運搬時に作業者が無理な姿勢を強いられることがなくなる。
【０００９】
上記態様では、前記取手のうち前記幅方向の一方側の端部に設けられた第一取手は、前記高さ方向に離れた位置に複数対設けられ、前記取手のうち前記幅方向の他方側の端部に設けられた第二取手は、前記高さ方向の最も上部に設けられた前記第一取手と、前記高さ方向の最も下部に設けられた前記第二取手との間の高さの位置に一対のみが設けられていてもよい。
【００１０】
このように幅方向の他方側では一対のみの第二取手を複数対の第一取手の間に設けることで、第二取手を複数対設ける場合にくらべて取手を設置するコストを削減できる。
【００１１】
また、上記態様では、前記ファンよりも、前記幅方向の他方側で前記筐体に収容されたコントロールボックスをさらに備え、前記第二取手は、前記コントロールボックスの位置に対応する前記幅方向の位置に設けられていてもよい。
【００１２】
コントロールボックスは電子機器を有しており、コントロールボックスが設けられた位置では取手を設けるスペースを確保しにくい。第二取手を一対のみ設けることでこのような取手の設置スペース確保についての問題を解消することができる。さらに、コントロールボックスが設けられた位置で取手を多く設けた場合、取手の位置から筐体内に雨水等が浸入する可能性が高まってしまう。よって第二取手の設置数量を減らすことで、このような筐体内への水の浸入の可能性を低減できる。さらに、ファンにくらべてコントロールボックスは重たい。よって第二取手を、最も下部に設けられた第一取手よりも高い位置に設けることで、コントロールボックスが設置された側となる筐体の幅方向の他方側を作業者が高い位置まで持ち上げる必要がなくなる。よって、作業者に無理な姿勢を強いることなく、容易に室外機を運搬することができる。
【００１３】
また上記態様では、前記取手のうち前記幅方向の一方側の端部に設けられた第一取手、及び前記取手のうち前記幅方向の他方側の端部に設けられた第二取手は、前記高さ方向に離れた位置に複数対設けられていてもよい。
【００１４】
このように筐体の幅方向の両側で取手を高さ方向に離れて複数対設けることで、階段を使用して室外機を運搬する際に、筐体の幅方向のどちらを階段の上段側に配置しても、作業者は無理な姿勢を強いられることはない。即ち階段の上段側では高い位置に設けられた取手を作業者が把持し、階段の下段側では低い位置に設けられた取手を作業者が把持すれば、容易に室外機を運搬することができる。
【００１５】
また、上記態様では、前記高さ方向に離れた位置に複数対設けられた前記取手同士の前記高さ方向の間隔の寸法は、前記ファンの最大直径の２分の１以上であってもよい。
【００１６】
このような位置に複数対の取手を設け、階段を使用して室外機を運搬する際に階段の上段側の作業者が上部の取手を把持し、階段の下段側の作業者は下部の取手を把持することで、作業者は無理な姿勢を強いられることはなく容易に室外機を運搬することができる。
【００１７】
また、上記態様では、前記高さ方向に離れた位置に複数対設けられた前記取手は、前記ファンの回転中心を通り前記幅方向に延びる仮想線を挟むように、該仮想線の上方と下方とに設けられていてもよい。
【００１８】
このような位置に複数対の取手を設けることで、ファンに干渉することなく、取手の設置スペースを確保することができる。また、階段を使用して室外機を運搬する際に階段の上段側の作業者が上部の取手を把持し、階段の下段側の作業者は下部の取手を把持することで、作業者は無理な姿勢を強いられることはなく容易に室外機を運搬することができる。
【００１９】
本発明の一態様に係る空気調和機は、上記の室外機と、前記室外機との間で冷媒が循環する室内機と、を備えている。
【００２０】
このような空気調和機によれば、高さ方向に離れた位置で複数対の取手が上記の室外機の筐体に設けられていることで、例えば階段を使用して室外機を運搬する際に作業者が無理な姿勢を強いられることがなくなる。
【発明の効果】
【００２１】
上記の室外機、及び空気調和機では、高さ方向に離れた位置で筐体に複数対の取手を設けることで、運搬する場所によらず容易に運搬が可能である。
【図面の簡単な説明】
【００２２】
【図１】本発明の第一実施形態に係る空気調和機の室外機を正面側から見た全体斜視図である。
【図２】本発明の第一実施形態に係る空気調和機の室外機を裏面側から見た全体斜視図である。
【図３】本発明の第一実施形態に係る空気調和機の室外機を正面から見た平面図である。
【図４】本発明の第一実施形態に係る空気調和機の室外機を運搬している様子を示す図である。
【図５】本発明の第二実施形態に係る空気調和機の室外機を正面側から見た全体斜視図である。
【図６】本発明の第二実施形態に係る空気調和機の室外機を裏面側から見た全体斜視図である。
【図７】本発明の第三実施形態に係る空気調和機の室外機を正面側から見た全体斜視図である。
【図８】本発明の第三実施形態に係る空気調和機の室外機を裏面側から見た全体斜視図である。
【発明を実施するための形態】
【００２３】
［第一実施形態］
以下、図面を参照して、本発明の実施形態に係る空気調和機１００について説明する。
図１から図３に示すように、空気調和機１００は、室外機１と、室外機１に接続された室内機１０１とを備えている。
【００２４】
室内機１０１は、室内に設置される。図示は省略するが室内機１０１は、冷媒が流通して室内の空気との間で熱交換を行う熱交換器と、熱交換後の空気を空調風として室内へ吹き出すためのファンと、を主に有している。
【００２５】
室外機１は、空調される部屋の外に設置される。室外機１は、室内機１０１との間で循環する冷媒が流通する熱交換器３と、熱交換器３と熱交換した後の空気（外気）を排気するファン２と、ファン２の運転制御を行うコントロールボックス４と、熱交換器３、ファン２、及びコントロールボックス４を収容する筐体５と、筐体５に設けられた取手６とを備えている。
【００２６】
図示は省略するが、室外機１の筐体５には、熱交換器３、ファン２、及びコントロールボックス４に加え、冷媒を圧縮する圧縮機、膨張弁、四方切換弁等がさらに収容されている。そして室外機１は、室内機１０１との間で冷媒が蒸発と凝縮とを繰り返して循環する冷凍サイクルを構成している。
【００２７】
筐体５は、本実施形態では直方体形状をなしている。即ち、筐体５は設置面に対向する底面１１と、底面１１から高さ方向Ｚに上方に延びるとともに室外機１の設置時に正面となる前面１２と、底面１１から高さ方向Ｚに上方に延びるとともに室外機１の設置時に裏面となる後面１３と、を有している。前面１２から後面１３に向かう方向を奥行方向Ｙとする。
【００２８】
さらに筐体５は、奥行方向Ｙ及び高さ方向Ｚに直交（交差）する幅方向Ｘの両側に配置され、底面１１、前面１２、及び後面１３を接続する一対の側面１４、１５を有している。以下、図３に示すように一対の側面１４、１５のうち前面１２から見て左側の面を左側面１４と称し、前面１２から見て右側の面を右側面１５とする。本実施形態では、筐体５の幅方向Ｘの寸法の方が奥行方向Ｙの寸法よりも大きくなっている。
【００２９】
筐体５の前面１２及び後面１３には、奥行方向Ｙに貫通する開口部２１、２２が設けられている。前面１２の開口部２１には網状のファンガード２５が設けられている。後面１３の開口部２２にはフィルタ２６が設けられている。
【００３０】
ファン２は、奥行方向Ｙに延びる回転軸線Ｏ回りに回転する。ファン２は筐体５における幅方向Ｘの一方側となる左側に寄った位置で筐体５に収容されている。
【００３１】
熱交換器３は、ファン２を外周から取り囲むようにファン２に近接して筐体５内に設けられている。熱交換器３には冷媒が流通する。熱交換器３ではファン２によって筐体５内に取り込んだ空気（外気）と冷媒との間で熱交換が行われる。熱交換後の空気はファン２によって開口部２１を通じて筐体５の外部へ排気される。
【００３２】
コントロールボックス４は、筐体５内で、ファン２よりも幅方向Ｘの他方側となる右側に設けられている。コントロールボックス４は、ファン２や圧縮機（不図示）等の運転を制御する電子機器を有している。コントロールボックス４の重量はファン２及び熱交換器３の合計重量よりも大きく、幅方向Ｘの左側にくらべて右側で室外機１の重量が大きい。
【００３３】
取手６は、本実施形態では筐体５の各面から内側に凹む凹部となっている。
図１及び図２に示すように、取手６は左側面１４と前面１２と後面１３とに設けられている。左側面１４には、高さ方向Ｚに離れて二つの取手６（第一取手６Ａ）が設けられている。これら左側面１４の第一取手６Ａは、左側面１４の後面１３寄りの端部に設けられている。左側面１４の第一取手６Ａは開口しており、筐体５内部が露出した状態となっている。即ち左側面１４から見た場合に、筐体５内部の熱交換器３が視認できるようになっている。即ち第一取手６Ａを通じて熱交換器３の冷却を可能としている。ここで、左側面１４の第一取手６Ａのうち、上部に設けられた取手６を第一取手６Ａａとする。また左側面１４の第一取手６Ａのうち、下部に設けられた取手６を第一取手６Ａｂと表記する。
【００３４】
さらに前面１２の左側の端部には、高さ方向Ｚに離れて二つの取手６（第一取手６Ａ）が設けられている。ここで、前面１２の第一取手６Ａのうち、上部に設けられた取手６を第一取手６Ａｃと表記する。また前面１２の第一取手６Ａのうち、下部に設けられた取手６を第一取手６Ａｄと表記する。左側面１４の上部の第一取手６Ａａと前面１２における上部の第一取手６Ａｃとは同じ高さの位置に設けられ、左側面１４の下部の第一取手６Ａｂと前面１２における下部の第一取手６Ａｄとは同じ高さの位置に設けられている。
【００３５】
以下、「同じ高さの位置に設けられている」とは、取手６に手を掛ける部分が同じ高さの位置に設けられていることを意味する。本実施形態では、凹部である取手６の上底面（下方を向く面）８（図３参照）が手を掛ける部分であるため、同じ高さの位置に設けられている取手６同士では、上底面８の高さの位置が同じ位置となっている。
【００３６】
このように、筐体５の左側の端部で高さ方向Ｚの上部には奥行方向Ｙに離れて一対の第一取手６Ａａ、６Ａｃ、及び、筐体５の左側の端部で高さ方向Ｚの下部には奥行方向Ｙに離れて一対の第一取手６Ａｂ、６Ａｄが設けられていることで、奥行方向Ｙに対をなして並ぶ第一取手６Ａが高さ方向Ｚに複数対設けられている。
【００３７】
図３に示すように前面１２で左側面１４寄りの端部に設けられた第一取手６Ａとして、ファン２の回転中心を通り、回転軸線Ｏに直交（交差）して幅方向Ｘに延びる仮想線ＶＬを挟んで上部に一対の第一取手６Ａａ、６Ａｃが設けられ、下部に一対の第一取手６Ａｂ、６Ａｄが設けられている。さらに、上部の第一取手６ａ、６Ａｃの上底面８と下部の第一取手６Ａｂ、６Ａｄの上底面８とは、ファン２の最大直径Ｒの２分の１以上で、筐体５の高さ方向Ｚの寸法未満、離れている。
【００３８】
前面１２の右側の端部では、筐体５の高さ方向Ｚの中央よりも下方に、一つの取手６（第二取手６Ｂ）が設けられている。より具体的には、この第二取手６Ｂはコントロールボックス４が設けられた幅方向Ｘの位置に対応する幅方向Ｘの位置に設けられており、かつ、前面１２の左側の端部に設けられた上部の第一取手６Ａｃと下部の第一取手６Ａｄとの間の高さの位置に設けられている。以下、前面１２の第二取手６Ｂは第二取手６Ｂａと表記する。
【００３９】
さらに、後面１３の右側の端部（図２に紙面に向かって左側の位置）では、筐体５の高さ方向Ｚの中央よりも下方に、一つの取手６（第二取手６Ｂ）が設けられている。より具体的には、この第二取手６Ｂはコントロールボックス４が設けられた幅方向Ｘの位置に対応する幅方向Ｘの位置に設けられている。以下、後面１３の第二取手６Ｂは第二取手６Ｂｂと表記する。この第二取手６Ｂｂは、前面１２に設けられた第二取手６Ｂａと同じ高さの位置に設けられている。よって筐体５の右側の端部には、奥行方向Ｙに対をなして並ぶ第二取手６Ｂａ、６Ｂｂが一対のみ設けられている。
【００４０】
ここで、奥行方向Ｙに対をなす第一取手６Ａａ、６Ａｃ同士、第一取手６Ａｂ、６Ａｄ同士、及び第二取手６Ｂａ、６Ｂｂ同士は、それぞれ完全に同じ高さの位置に設けられていなくともよい。即ち、奥行方向Ｙに並ぶ取手６同士が、高さ方向Ｚに多少ずれた位置に設けられていてもよい。
【００４１】
以上説明した本実施形態の空気調和機１００では、室外機１が筐体５の左側の端部に、奥行方向Ｙに対をなして設けられた第一取手６Ａを高さ方向Ｚに離れて複数対（二対）備えている。
【００４２】
ここで室外機１は筐体５の底面１１が水平方向に沿うように運搬されることが好ましい。室外機１を運搬する際、室外機１の筐体５の底面１１を水平方向に沿うように保つとともに、例えば図４に示すように階段ＳＴを使用して室外機１を運搬（搬入、搬出）する場合には、階段ＳＴの上段側の作業者Ｈ１が上部に設けられた第一取手６Ａａ、６Ａｃを把持することができる。この際、下部に設けられた第一取手６Ａｂ、６Ａｄを把持する場合にくらべて、筐体５をより高い位置で支持することができ、作業者Ｈ１は腰を曲げる姿勢等の無理な姿勢を強いられることがない。
【００４３】
そして右側の端部に設けられた第二取手６Ｂａ、６Ｂｂは、左側の端部に設けられた上部の第一取手６Ａａ、６Ａｃよりも下方に設けられているため、階段ＳＴの下段側の作業者Ｈ２が第二取手６Ｂａ、６Ｂｂを把持すれば、室外機１を水平に保つ際に作業者Ｈ２が無理な姿勢を強いられることがない。即ち、階段ＳＴの上段側の作業者Ｈ１も下段側の作業者Ｈ２もともに、運搬時に楽な姿勢を保つことができる。よって運搬する場所によらず、容易に室外機１を運搬できる。
【００４４】
図４の場合とは逆に、階段ＳＴの下段側の作業者Ｈ２が、筐体５の左側の下部の第一取手６Ａｂ、６Ａｄを把持し、階段ＳＴの上段側の作業者Ｈ１が、筐体５の右側の第二取手６Ｂａ、６Ｂｂを把持して室外機１を運搬してもよい。
【００４５】
幅方向Ｘの右側では奥行方向Ｙに一対のみの第二取手６Ｂを、二対の第一取手６Ａ同士の間に設けることで、幅方向Ｘの右側でも左側と同様に取手６を複数対設ける場合にくらべて、取手６を設置するコストを削減できる。
【００４６】
またコントロールボックス４が設けられた位置では、取手６を設けるスペースを筐体５に確保しにくい。よって筐体５の右側の端部に第二取手６Ｂを一対のみ設けることで、このようなスペース確保の問題を解消することができる。さらに、コントロールボックス４が設けられた位置に取手６を多く設けた場合、取手６の位置から筐体５内に雨水等が浸入する可能性がある。よってコントロールボックス４が設けられた位置に設ける取手６の数量を減らすことで、このような筐体５内への水の浸入の可能性を低減できる。
【００４７】
さらに、ファン２にくらべてコントロールボックス４は重い。よって筐体５の右側の端部の第二取手６Ｂａ、６Ｂｂを、筐体５の左側の端部の下部に設けられた第一取手６Ａｂ、６Ａｄよりも高い位置に設けることで、コントロールボックス４が設置された筐体５の幅方向Ｘの右側を作業者Ｈ２が高い位置まで持ち上げる必要がなくなる。
【００４８】
また、高さ方向Ｚに離れた位置に複数対設けられた第一取手６Ａ同士の高さ方向Ｚの間隔Ｌは、ファン２の最大直径Ｒの２分の１以上離れている。このため、階段ＳＴを使用して室外機１を運搬する際に作業者Ｈ１は無理な姿勢を強いられることはなく、容易に室外機１を運搬することができる。
【００４９】
さらに、高さ方向Ｚに離れた位置に複数対設けられた第一取手６Ａがファン２の回転中心を通り幅方向Ｘに延びる仮想線ＶＬを挟んで、仮想線ＶＬよりも上方と下方とに設けられている。このため、第一取手６Ａがファン２に干渉することなく、第一取手６Ａの設置スペースを確保しつつ、容易に室外機１を運搬できる。
【００５０】
［第二実施形態］
次に、本発明の第二実施形態の空気調和機１００、２００、３００について説明する。以下に説明する第二実施形態においては、第一実施形態と第二取手６Ｂの設置数量、及び設置位置が異なるのみであるため、第一実施形態と同一部分に同一符号を付して説明するとともに、重複説明を省略する。
【００５１】
図５に示すように、左側の端部の第一取手６Ａａ、６Ａｂ、６Ａｃ、６Ａｄは、第一実施形態と同様に高さ方向Ｚに離れて複数対（二対）ずつ設けられている。また本実施形態では、右側の端部の第二取手６Ｂも、高さ方向Ｚに離れて二対ずつ設けられている。以下、上部の第二取手６Ｂのうち、前面１２に設けられた取手６を第二取手６Ｂａと表記し、図６に示すように上部の第二取手６Ｂのうち、後面１３に設けられた取手６を第二取手６Ｂｃと表記する。また下部の第二取手６Ｂのうち、前面１２に設けられた取手６を第二取手６Ｂｂと表記し、上部の第二取手６Ｂのうち、後面１３に設けられた取手６を第二取手６Ｂｄと表記する。
【００５２】
上部の第一取手６Ａａ、６Ａｃと上部の第二取手６Ｂａ、６Ｂｃとは同じ高さの位置に設けられ、下部の第一取手６Ａｂ、６Ａｄと下部の第二取手６Ｂｂ、６Ｂｄとは同じ高さの位置に設けられている。
【００５３】
上部の対をなす第二取手６Ｂａ、６Ｂｃのうちの第二取手６Ｂａは前面１２で右側面１５寄りの端部に設けられ、第二取手６Ｂｃは後面１３で右側面１５寄りの端部に設けられている。下部の対をなす第二取手６Ｂｂ、６Ｂｄのうちの第二取手６Ｂｂは前面１２で右側面１５寄りの端部に設けられ、第二取手６Ｂｄは後面１３で右側面１５寄りの端部に設けられている。
【００５４】
以上説明した本実施形態の空気調和機２００では、室外機７１の筐体５の幅方向Ｘの両側で第一取手６Ａ及び第二取手６Ｂを高さ方向Ｚに離れてそれぞれ複数対設けている。このため、階段ＳＴを使用して室外機７１を運搬する際に、筐体５の幅方向Ｘのどちらを階段ＳＴの上段側に配置しても、作業者Ｈ１、Ｈ２（図４参照）は無理な姿勢を強いられることはない。即ち上段側では高い位置に設けられた第一取手６Ａａ、６Ａｃ又は第二取手６Ｂａ、６Ｂｃを作業者Ｈ１が把持し、下段側では低い位置に設けられた第二取手６Ｂｂ、６Ｂｄ又は第一取手６Ａｂ、６Ａｄを作業者Ｈ２が把持すれば、運搬時の筐体５の方向にかかわらず、容易に室外機７１を運搬することができる。
【００５５】
［第三実施形態］
次に、本発明の第三実施形態の空気調和機３００について説明する。以下に説明する第三実施形態においては、第一実施形態と第一取手６Ａの設置位置が異なるのみであるため、第一実施形態と同一部分に同一符号を付して説明するとともに、重複説明を省略する。
【００５６】
図７に示すように第一実施形態と同様に奥行方向Ｙに対をなす上部の第一取手６Ａａ、６Ａｃのうちの第一取手６Ａｃは前面１２で左側面１４寄りの端部に設けられ、第一取手６Ａａは図８に示すように後面１３で左側面１４寄りの端部に設けられている。さらに図７に示すように奥行方向Ｙに対をなす下部の第一取手６Ａｂ、６Ａｄのうちの第一取手６Ａｄは前面１２で左側面１４寄りの端部に設けられ、第一取手６Ａｂは図８に示すように後面１３で左側面１４寄りの端部に設けられている。本実施形態ではすべての取手６が前面１２及び後面１３に設けられている。
【００５７】
以上説明した本実施形態の空気調和機３００では、室外機８１の取手６が右側面１５及び左側面１４には設けられていない。よって作業者Ｈ１、Ｈ２（図４参照）が両手の手の平を幅方向Ｘに向けた状態で第一取手６Ａ及び第二取手６Ｂを把持することができ、室外機８１の運搬が容易となる。
【００５８】
以上、本発明の実施形態について図面を参照して詳述したが、各実施形態における各構成及びそれらの組み合わせ等は一例であり、本発明の趣旨から逸脱しない範囲内で、構成の付加、省略、置換、およびその他の変更が可能である。また、本発明は実施形態によって限定されることはなく、特許請求の範囲によってのみ限定される。
【００５９】
取手６の設置位置は上述の場合に限定されない。例えば奥行方向Ｙに対をなす第二取手６Ｂのうちの一つを後面１３ではなく右側面１５に設けてもよい。
【００６０】
また、幅方向Ｘに対をなす取手６を高さ方向Ｚに間隔をあけて三対以上設けてもよい。
【００６１】
筐体５は直方体形状をなす場合に限定されない。そして取手６は少なくともファン２の回転中心を挟んで、幅方向Ｘの左側の端部と右側の端部とに設けられていればよい。
【００６２】
取手６の形状も上述の場合に限定されない、例えば取手６は凹部ではなく筐体５から突出する凸部であってもよい。またすべての取手６の形状が必ずしも同じでなくともよい。
【符号の説明】
【００６３】
１、７１、８１…室外機
２…ファン
３…熱交換器
４…コントロールボックス
５…筐体
６…取手
６Ａ…第一取手
６Ｂ…第二取手
１１…底面
１２…前面
１３…後面
１４…左側面
１５…右側面
２１…開口部
２２…開口部
２５…ファンガード
２６…フィルタ
１００、２００、３００…空気調和機
１０１…室内機
Ｘ…幅方向
Ｙ…奥行方向
Ｚ…高さ方向
Ｏ…回転軸線
ＶＬ…仮想線
ＳＴ…階段
Ｈ１、Ｈ２…作業者
【図１】
2019143952.tif 000003
【図２】
2019143952.tif 000004
【図３】
2019143952.tif 000005
【図４】
2019143952.tif 000006
【図５】
2019143952.tif 000007
【図６】
2019143952.tif 000008
【図７】
2019143952.tif 000009
【図８】
2019143952.tif 000010